(57)【特許請求の範囲】
【請求項１】
テレビ放送の信号を受信処理するための基準周波数信号を生成する基準周波数発生手段と、
前記テレビ放送の受信信号における周波数誤差を検出するとともに、検出した前記周波数誤差を示す周波数誤差信号を出力する周波数誤差検出手段と、
前記基準周波数発生手段により生成する前記基準周波数信号に対して前記テレビ放送の受信中に周波数変動をもたらす特定の内部処理の実行命令を発行するタイミングを通知する特定処理実行通知手段と、
前記通知を受けた場合には前記通知を受けない場合に比べて小さい時定数を設定する制御手段と、
前記制御手段で設定した時定数で前記周波数誤差信号を通過させるとともに前記周波数誤差信号を積分するループフィルタと、
前記ループフィルタで積分した周波数誤差信号から所定の発振周波数のローカル信号を生成するローカル信号生成手段と、
生成した前記ローカル信号で前記受信信号を直交検波することにより前記受信信号中の前記周波数誤差を補償する直交検波手段と、
を具備する無線通信端末装置。
【請求項２】
前記特定処理実行通知手段は、前記特定の内部処理であるセルラ通信方式の信号の伝送用アンプの起動処理または停止処理の実行命令が発行されるタイミングを通知する請求項１記載の無線通信端末装置。
【請求項３】
前記特定処理実行通知手段は、前記特定の内部処理である充電回路の動作開始処理または動作停止処理の実行命令が発行されるタイミングを通知する請求項１または請求項２記載の無線通信端末装置。
【請求項４】
複数のアンテナまたは単一のアンテナで前記受信信号を受信する受信手段と、
前記受信手段により受信した前記受信信号の受信品質を示す検出値と閾値との比較結果に基づいて、前記複数のアンテナで前記受信信号をダイバーシチ受信する場合と前記単一のアンテナで前記受信信号を受信する場合とを切り替える切り替え処理を行う受信切替手段とを具備し、
前記特定処理実行通知手段は、前記特定の内部処理である前記切り替え処理の実行命令が発行されるタイミングを通知する請求項１から請求項３のいずれかに記載の無線通信端末装置。
【請求項５】
セルラ通信方式のデータ伝送用の基準周波数信号を前記受信信号の受信処理における基準周波数信号として生成する基準周波数発生手段を具備し、
前記特定処理実行通知手段は、前記特定の内部処理である前記セルラ通信方式におけるハンドオーバの開始処理または終了処理の実行命令が発行されるタイミングを通知する請求項１から請求項４のいずれかに記載の無線通信端末装置。
【請求項６】
ＧＰＳ信号を受信して位置情報を取得するＧＰＳ受信手段と、
前記ＧＰＳ受信手段の基準周波数信号を前記受信信号の受信処理における基準周波数信号として生成する基準周波数発生手段とを具備し、
前記特定処理実行通知手段は、前記特定の内部処理である前記ＧＰＳ受信手段の起動処理または停止処理の実行命令が発行されるタイミングを通知する請求項１から請求項４のいずれかに記載の無線通信端末装置。
【請求項７】
前記テレビチューナの受信信号を受信処理するための基準周波数信号を生成する基準周波数発生手段と、
前記基準周波数発生手段の近傍の温度を検出する温度検出手段と、
検出した前記温度の単位時間における変化量を検出する温度変化量検出手段とを具備し、
前記ループフィルタは、前記変化量が閾値以上の場合に前記変化量がしきい値未満の場合に比べて時定数を小さくして前記周波数誤差信号を通過させる請求項１から請求項４のいずれかに記載の無線通信端末装置。
【請求項８】
テレビ放送の信号を受信処理するための基準周波数信号を生成するステップと、
前記テレビ放送の受信信号における周波数誤差を検出するとともに、検出した前記周波数誤差を示す周波数誤差信号を出力するステップと、
前記基準周波数信号に対して前記テレビ放送の受信中に周波数変動をもたらす特定の内部処理の実行命令を発行するタイミングを通知するステップと、
前記通知を受けた場合には前記通知を受けない場合に比べて小さい時定数をループフィルタに設定するステップと、
前記ループフィルタが、前記周波数誤差信号を通過させるとともに前記通過の際に前記周波数誤差信号を積分するステップと、
積分した前記周波数誤差信号から所定の発振周波数のローカル信号を生成するステップと、
生成した前記ローカル信号で前記受信信号を直交検波することにより前記受信信号中の前記周波数誤差を補償するステップと、
を具備する自動周波数制御方法。
【発明の詳細な説明】
【技術分野】
【０００１】
本発明は、例えばディジタルテレビ放送を受信する無線通信端末装置及び自動周波数制御方法に関する。
【背景技術】
【０００２】
近年、携帯電話の高機能化により、携帯電話にディジタルテレビチューナが搭載されたものが知られている。また、携帯電話の高機能化に伴い、携帯電話機器内部における高密度実装が進み、携帯電話内での発熱や雑音の回り込み等の影響が大きくなってきている。現状では、ディジタルテレビチューナではモジュール化された小型品が多く用いられており、モジュール内部での発熱や雑音の回り込み等の影響も無視できない。
【０００３】
一般的に、携帯電話は、ディジタルテレビチューナ専用の基準信号発振回路を備えており、基準信号発振回路から発生する基準周波数に基づいて受信処理を行う。高密度実装されたチューナモジュールや携帯電話内では、急激な発熱量の変化や一部の回路の電源のＯＮ／ＯＦＦの切り替えによって基準発振器の周波数が変動し、ＢＥＲ（Ｂｉｔ  Ｅｒｒｏｒ  Ｒａｔｅ）特性等の受信性能が劣化する場合がある。
【０００４】
ディジタルテレビチューナは、自動周波数制御回路を搭載しているため、定常的な周波数誤差や緩やかな周波数変動に対しては十分な耐性がある。しかし、上記のような急激な周波数変動が起こる場合、即ち周波数変化の傾きが大きい場合、自動周波数制御が追従できずにＢＥＲの劣化が生じる。自動周波数制御は、時定数を制御することにより追従性を高めることが可能であるが、追従性を高くすると、雑音に対しても変化するようになり雑音耐性が低下してしまい、受信性能が低下する。
【０００５】
従って、近年の携帯電話には、携帯電話内の処理に伴う急激な周波数変動に対する性能劣化の低減と通常状態での高い受信性能の維持との両立が求められる。
【０００６】
特許文献１は、テレビジョン受像機またはＶＴＲ等における受信機の自動周波数制御装置に関して、安定した自動周波数制御動作と素早い引き込み動作との両立を実現するものである。特許文献１では、同期信号の有無を検出し、同期信号がない時、即ちテレビ受信してない時は、自動周波数制御ループのフィルタ時定数を小さくして引込み時間を短くする。一方、同期信号が有る時、即ちテレビ受信している時は、自動周波数制御ループのフィルタ時定数を大きくして動作を安定化し、雑音に対する耐性を高くする。
【特許文献１】特開平５−３７３０１号公報
【発明の開示】
【発明が解決しようとする課題】
【０００７】
しかしながら、特許文献１においては、同期信号が無くならない限り高速引き込みモードにならないので、テレビ受信中に急激な周波数変動が起こると良好な受信状態を維持できないという問題がある。
【０００８】
本発明はかかる点に鑑みてなされたものであり、基準周波数を乱すような特定の処理を行う時は、追従性の高い自動周波数制御を行うことにより、急激な周波数変動による受信性能の劣化の低減と通常状態における高い受信性能の維持との両立を図ることができる無線通信端末装置及び自動周波数制御方法を提供することを目的とする。
【課題を解決するための手段】
【０００９】
本発明の無線通信端末装置は、テレビ放送の信号を受信処理するための基準周波数信号を生成する基準周波数発生手段と、前記テレビ放送の受信信号における周波数誤差を検出するとともに、検出した前記周波数誤差を示す周波数誤差信号を出力する周波数誤差検出手段と、前記基準周波数発生手段により生成する前記基準周波数信号に対して前記テレビ放送の受信中に周波数変動をもたらす特定の内部処理の実行命令を発行するタイミングを通知する特定処理実行通知手段と、前記通知を受けた場合には前記通知を受けない場合に比べて小さい時定数を設定する制御手段と、前記制御手段で設定した時定数で前記周波数誤差信号を通過させるとともに前記周波数誤差信号を積分するループフィルタと、前記ループフィルタで積分した周波数誤差信号から所定の発振周波数のローカル信号を生成するローカル信号生成手段と、生成した前記ローカル信号で前記受信信号を直交検波することにより前記受信信号中の前記周波数誤差を補償する直交検波手段と、を具備する構成を採る。
【００１０】
本発明の自動周波数制御方法は、テレビ放送の信号を受信処理するための基準周波数信号を生成するステップと、前記テレビ放送の受信信号における周波数誤差を検出するとともに、検出した前記周波数誤差を示す周波数誤差信号を出力するステップと、前記基準周波数信号に対して前記テレビ放送の受信中に周波数変動をもたらす特定の内部処理の実行命令を発行するタイミングを通知するステップと、前記通知を受けた場合には前記通知を受けない場合に比べて小さい時定数をループフィルタに設定するステップと、前記ループフィルタが、前記周波数誤差信号を通過させるとともに前記通過の際に前記周波数誤差信号を積分するステップと、積分した前記周波数誤差信号から所定の発振周波数のローカル信号を生成するステップと、生成した前記ローカル信号で前記受信信号を直交検波することにより前記受信信号中の前記周波数誤差を補償するステップと、を具備するようにした。
【発明の効果】
【００１１】
本発明によれば、基準周波数を乱すような特定の処理を行う時は、追従性の高い自動周波数制御を行うことにより、急激な周波数変動による受信性能の劣化の低減と通常状態における高い受信性能の維持との両立を図ることができる。
【発明を実施するための最良の形態】
【００１２】
以下、本発明の実施の形態について、図面を参照して詳細に説明する。
【００１３】
（実施の形態１）
図１は、本発明の実施の形態１に係る無線通信端末装置１００の構成を示すブロック図である。
【００１４】
無線通信端末装置１００は、ディジタルテレビチューナ部１５０を有し、ディジタルテレビチューナ部１５０は、内部クロック生成回路１０２、ＲＦ回路１０４、アナログ／ディジタル（以下「Ａ／Ｄ」と記載する）部１０５、直交検波部１０６、ローパスフィルタ（以下「ＬＰＦ」と記載する）１０７、ＯＦＤＭ復調回路１０８、復号回路１０９、制御回路１１１、周波数誤差検出部１１４、可変ループフィルタ１１５及び数値制御発振器（Numerical Controlled Oscillator：以下「ＮＣＯ」と記載する）１１６を含む。
【００１５】
ＴＶチューナ基準周波数発生部１０１は、例えば水晶発振回路であり、ディジタルテレビ放送信号を受信処理するための基準周波数信号を生成して、生成した基準周波数信号を内部クロック生成回路１０２へ出力する。なお、ＴＶチューナ基準周波数発生部１０１は、チューナ用ＩＣに含まれている場合が多く、その際に、水晶振動子はチューナ用ＩＣに外付けされる。
【００１６】
内部クロック生成回路１０２は、ＴＶチューナ基準周波数発生部１０１から入力した基準周波数信号を用いてディジタルテレビチューナ部１５０の内部で使用する各種クロックを生成する。そして、内部クロック生成回路１０２は、生成した各種クロックをＲＦ回路１０４及びその他の回路に供給する。
【００１７】
アンテナ１０３は、ディジタルテレビ放送信号を受信してＲＦ回路１０４へ出力する。
【００１８】
ＲＦ回路１０４は、アンテナ１０３から入力したディジタルテレビ放送信号を増幅するとともに、増幅したディジタルテレビ放送信号から所定のチャネルの信号を選択してＬｏｗ−ＩＦ信号に周波数変換する。また、ＲＦ回路１０４は、Ａ／Ｄ部１０５の入力レベルが一定となるよう自動利得制御処理を行う。そして、ＲＦ回路１０４は、周波数変換及び自動利得制御処理後のＬｏｗ−ＩＦ信号をＡ／Ｄ部１０５へ出力する。
【００１９】
Ａ／Ｄ部１０５は、ＲＦ回路１０４から入力したＬｏｗ−ＩＦ信号をＡ／Ｄ変換して直交検波部１０６へ出力する。
【００２０】
直交検波部１０６は、Ａ／Ｄ部１０５から入力したディジタルＬｏｗ−ＩＦ信号をＮＣＯ１１６から入力したローカル信号で直交検波して、ディジタルベースバンド信号のＩ成分及びＱ成分をＬＰＦ１０７へ出力する。
【００２１】
ＬＰＦ１０７は、直交検波部１０６から入力したディジタルベースバンド信号のＩ成分及びＱ成分より、直交検波により発生する和周波数成分を除去してＯＦＤＭ復調回路１０８及び周波数誤差検出部１１４へ出力する。
【００２２】
ＯＦＤＭ復調回路１０８は、ＬＰＦ１０７から入力したＩ成分及びＱ成分からなるディジタルベースバンド信号をＯＦＤＭ復調して復調信号を生成し、生成した復調信号を復号回路１０９へ出力する。
【００２３】
復号回路１０９は、ＯＦＤＭ復調回路１０８から入力した復調信号をデインタリーブ及び誤り訂正等の復号処理し、復号処理後のディジタル放送信号を外部へ出力する。これにより、無線通信端末装置１００は、図示しない表示画面にディジタル放送による画像を表示することが可能になる。
【００２４】
端末制御部１１０は、無線通信端末装置１００全体の制御を行う。また、端末制御部１１０は、所定のタイミングで各種の処理の実行命令を発行する。例えば、端末制御部１１０は、チャネル選局、ディジタルテレビチューナ部１５０の各ブロックの初期化、ディジタルテレビチューナ部１５０の各ブロックの停止処理、伝送系アンプの起動処理、伝送系アンプの停止処理、充電回路の動作開始、及び充電回路の動作停止の各種の処理の実行命令を発行する。ここで、伝送系アンプとは、セルラ通信方式の信号の伝送用アンプであり、例えば通信端末装置１００に設けられた携帯電話機能による通話を行う際の音声信号の伝送用アンプである。
【００２５】
制御回路１１１は、ディジタルテレビチューナ部１５０の各ブロックの制御を行う。例えば、制御回路１１１は、端末制御部１１０からのチャネル選局、ディジタルテレビチューナ部１５０の各ブロックの初期化またはディジタルテレビチューナ部１５０の各ブロックの停止処理の実行命令を受けて、ＲＦ回路１０４のＬｏ周波数の設定、各ブロックの初期化または各ブロックの停止処理を行う。
【００２６】
特定処理実行通知部１１２は、端末制御部１１０から各種の処理の実行命令を発行するタイミングを収集する。そして、特定処理実行通知部１１２は、ＴＶチューナＡＦＣループ定数制御部１１３に対して、急激な基準周波数変動を引き起こす特定処理の実行命令を発行するタイミングを通知する。例えば、特定処理実行通知部１１２は、急激な基準周波数変動を引き起こす特定の内部処理の実行命令を発行するタイミングとして、伝送系送信アンプの起動処理の実行命令を発行するタイミング、伝送系送信アンプの停止処理の実行命令を発行するタイミング、充電回路の動作開始の実行命令を発行するタイミングまたは充電回路の動作停止の実行命令を発行するタイミングを通知する。また、送信アンプの出力は無線通信端末装置１００と図示しない基地局との距離で異なり、距離が近い場合は、送信アンプの出力は低いとともに発熱も低いので、必ずしも自動周波数制御ループ定数を変更する必要はない。従って、特定処理実行通知部１１２は、端末制御部１１０から送信パワーの設定情報も合わせて収集し、所定の閾値以上の送信パワーが設定された場合にのみ上記の通知を行うようにしても良い。なお、端末制御部１１０と特定処理実行通知部１１２とは、別のデバイス（ＣＰＵ）である必要はなく、同じデバイスに設けても良い。
【００２７】
制御手段としてＴＶチューナＡＦＣループ定数制御部１１３は、特定処理実行通知部１１２から通知を受けた場合は、通知を受けない場合に比べて小さい時定数を設定するように可変ループフィルタ１１５に指示する。具体的には、ＴＶチューナＡＦＣループ定数制御部１１３は、特定処理実行通知部１１２から通知を受けた場合は、通知を受けない場合よりも、可変ループフィルタ１１５のゲインまたは平滑化パラメータ(フィルタの帯域、移動平均数または忘却係数等)の少なくとも一方を、自動周波数制御における追従性の高い設定に切り換えるように指示する。例えば、ＴＶチューナＡＦＣループ定数制御部１１３は、伝送系送信アンプの起動、伝送系送信アンプの停止、充電回路の動作開始または充電回路の動作停止の際に、可変ループフィルタ１１５のゲインを大きくするかまたは可変ループフィルタ１１５の帯域を広くし、所定の時間経過後に元の設定に戻すように指示する。なお、設定の切り換えは、必ずしも２段階である必要はなく、３段階以上でも良い。
【００２８】
周波数誤差検出部１１４は、ＬＰＦ１０７から入力したベースバンド信号のＩ成分及びＱ成分から周波数誤差を検出する。そして、周波数誤差検出部１１４は、検出結果である周波数誤差信号を可変ループフィルタ１１５へ出力する。
【００２９】
可変ループフィルタ１１５は、ＴＶチューナＡＦＣループ定数制御部１１３からの指示に従って時定数を設定し、設定した時定数で周波数誤差検出部１１４から入力した周波数誤差信号を通過させるとともに周波数誤差信号を積分してＮＣＯ１１６へ出力する。なお、可変ループフィルタ１１５の構成の詳細については後述する。
【００３０】
ローカル信号生成手段としてのＮＣＯ１１６は、可変ループフィルタ１１５から入力した周波数誤差信号から、所定の発信周波数のディジタル正弦波及びディジタル余弦波からなるローカル信号を生成する。そして、ＮＣＯ１１６は、生成したローカル信号を直交検波部１０６へ出力する。
【００３１】
次に、可変ループフィルタ１１５の構成について、図２を用いて説明する。図２は、可変ループフィルタ１１５の構成を示すブロック図である。なお、図２において、可変ループフィルタ１１５は、ゲイン係数と忘却係数の設定を変えるものであるが、これに限らず、時定数を変えるものであれば、ＴＶチューナＡＦＣループ定数制御部１１３の指示に従って任意のパラメータを設定することができる。
【００３２】
メモリ２０１は、複数のゲイン係数Ｋを各アドレスに記憶しており、ＴＶチューナＡＦＣループ定数制御部１１３から入力したループフィルタ制御信号で指示されたアドレスに記憶しているゲイン係数Ｋを乗算器２０４へ出力する。
【００３３】
メモリ２０２は、複数の忘却係数αを各アドレスに記憶しており、ＴＶチューナＡＦＣループ定数制御部１１３から入力したループフィルタ制御信号で指示されたアドレスに記憶している忘却係数αを乗算器２０５へ出力する。
【００３４】
メモリ２０３は、複数の（１−α）の値を各アドレスに記憶しており、ＴＶチューナＡＦＣループ定数制御部１１３から入力したループフィルタ制御信号で指示されたアドレスに記憶している（１−α）の値を乗算器２０６へ出力する。
【００３５】
乗算器２０４は、周波数誤差検出部１１４から入力した周波数誤差信号にメモリ２０１に記憶しているゲイン係数Ｋを乗算して乗算器２０５へ出力する。
【００３６】
乗算器２０５は、乗算器２０４から入力したＫ倍された周波数誤差信号にメモリ２０２に記憶している忘却係数αを乗算して加算器２０７へ出力する。
【００３７】
乗算器２０６は、遅延器２０８から入力した１周期前の周波数誤差信号にメモリ２０３に記憶している（１−α）を乗算して加算器２０７へ出力する。
【００３８】
加算器２０７は、乗算器２０５から入力したα倍した周波数誤差信号と乗算器２０６から入力した（１−α）倍した周波数誤差信号とを加算して遅延器２０８及び加算器２０９へ出力する。
【００３９】
遅延器２０８は、加算器２０７から入力した周波数誤差信号を１周期遅延させて乗算器２０６へ出力する。
【００４０】
加算器２０９は、加算器２０７から入力した周波数誤差信号と遅延器２１０から入力した１周期前の周波数誤差信号とを加算して、加算結果を制御信号としてＮＣＯ１１６へ出力する。
【００４１】
遅延器２１０は、加算器２０９から入力した周波数誤差信号を１周期遅延させて加算器２０９へ出力する。
【００４２】
なお、図２において、ゲイン係数Ｋと忘却係数αの双方の切り替えを可能な構成にしたが、これに限らず、ゲイン係数Ｋと忘却係数αのいずれか一方のみを切り替えるものであっても良い。また、図２において、ゲイン係数Ｋと忘却係数αを別々の乗算器で周波数誤差信号に乗算したが、これに限らず、１つの乗算器で乗算しても良いし、乗算器での乗算の代わりにビットシフトを行っても良い。また、図２において、移動平均フィルタを用いる構成にしたが、移動平均フィルタに限定するものではない。
【００４３】
因みに、携帯電話では、信号伝送系で用いられるパワーアンプの発熱量が非常に大きいため、ディジタルテレビチューナ部１５０と伝送系送信アンプとの実装による位置関係によっては、伝送系送信アンプの発熱により基準発振器の周波数は大きな影響を受ける。つまり、通話若しくは通信を開始した場合、即ち伝送系送信アンプがＯＦＦからＯＮになった場合、及び通話若しくは通信を停止した場合、即ち伝送系送信アンプがＯＮからＯＦＦになった場合に急激な温度変動が生じ、基準周波数が変動する。基準周波数が変動した場合に、ＲＦ回路１０４がチャネル選択するとともに出力するＬｏｗ−ＩＦ信号のキャリア周波数は変化する。この変化が急激な場合は、自動周波数制御が追従できず、周波数誤差が大きくなってＢＥＲ特性が劣化する。充電回路の発熱量も大きいため、充電回路とディジタルテレビチューナ部１５０との実装による位置関係によっては、充電回路の発熱による基準発振器の周波数に対する影響も無視できない。本発明の実施の形態１は、このような課題を解決するものである。
【００４４】
また、無線通信端末装置１００内のＴＶチューナ基準周波数発生部１０１を実装する位置は、温度変動の少ない位置に実装することにより急激な周波数変動に対する性能劣化を大幅に低減することができる。
【００４５】
このように、本実施の形態１によれば、基準周波数を乱すような特定の処理を行う時は、追従性の高い自動周波数制御を行うことにより、急激な周波数変動による受信性能の劣化の低減と通常状態における高い受信性能の維持との両立を図ることができる。
【００４６】
（実施の形態２）
図３は、本発明の実施の形態２に係る無線通信端末装置３００の構成を示すブロック図である。
【００４７】
図３に示す無線通信端末装置３００は、図１に示す実施の形態１に係る無線通信端末装置１００に対して、合成回路３１３及び受信品質判定部３１４を追加し、アンテナ１０３、ＲＦ回路１０４、Ａ／Ｄ部１０５、直交検波部１０６、ＬＰＦ１０７、ＯＦＤＭ復調回路１０８、端末制御部１１０、制御回路１１１及び特定処理実行通知部１１２の代わりに、アンテナ３０１、３０２、ＲＦ回路３０３、３０４、Ａ／Ｄ部３０５、３０６、直交検波部３０７、３０８、ＬＰＦ３０９、３１０、ＯＦＤＭ復調回路３１１、３１２、端末制御部３１５、制御回路３１６及び特定処理実行通知部３１７を有する。なお、図３において、図１と同一構成である部分には同一の符号を付してその説明を省略する。
【００４８】
無線通信端末装置３００は、ダイバーシチチューナであるディジタルテレビチューナ部３５０を有し、ディジタルテレビチューナ部３５０は、内部クロック生成回路１０２、復号回路１０９、周波数誤差検出部１１４、可変ループフィルタ１１５、ＮＣＯ１１６、ＲＦ回路３０３、３０４、Ａ／Ｄ部３０５、３０６、直交検波部３０７、３０８、ＬＰＦ３０９、３１０、ＯＦＤＭ復調回路３１１、３１２、合成回路３１３、受信品質判定部３１４及び制御回路３１６を含む。
【００４９】
アンテナ３０１は、ディジタルテレビ放送信号をシングルブランチ受信、またはアンテナ３０２と共にダイバーシチ受信し、受信したディジタルテレビ放送信号をＲＦ回路３０３へ出力する。
【００５０】
アンテナ３０２は、ディジタルテレビ放送信号をシングルブランチ受信、またはアンテナ３０１と共にダイバーシチ受信し、受信したディジタルテレビ放送信号をＲＦ回路３０４へ出力する。
【００５１】
内部クロック生成回路１０２は、ＴＶチューナ基準周波数発生部１０１から入力した基準周波数信号を用いてディジタルテレビチューナ部３５０の内部で使用する各種クロックを生成する。そして、内部クロック生成回路１０２は、生成した各種クロックをＲＦ回路３０３、ＲＦ回路３０４及びその他の回路に供給する。
【００５２】
ＲＦ回路３０３は、制御回路３１６の制御に従って、電源の供給を受けて起動する場合と電源の供給を受けずに停止する場合とを切り換える。また、ＲＦ回路３０３は、起動している際に、アンテナ３０１から入力したディジタルテレビ放送信号を増幅するとともに、増幅したディジタルテレビ放送信号から所定のチャネルの信号を選択してＬｏｗ−ＩＦ信号に周波数変換する。また、ＲＦ回路３０３は、Ａ／Ｄ部３０５の入力レベルが一定となるよう自動利得制御処理を行う。そして、ＲＦ回路３０３は、周波数変換及び自動利得制御処理後のＬｏｗ−ＩＦ信号をＡ／Ｄ部３０５へ出力する。
【００５３】
ＲＦ回路３０４は、制御回路３１６の制御に従って、電源の供給を受けて起動する場合と電源の供給を受けずに停止する場合とを切り換える。また、ＲＦ回路３０４は、起動している際に、アンテナ３０２から入力したディジタルテレビ放送信号を増幅するとともに、増幅したディジタルテレビ放送信号から所定のチャネルの信号を選択してＬｏｗ−ＩＦ信号に周波数変換する。また、ＲＦ回路３０４は、Ａ／Ｄ部３０６の入力レベルが一定となるよう自動利得制御処理を行う。そして、ＲＦ回路３０４は、周波数変換及び自動利得制御処理後のＬｏｗ−ＩＦ信号をＡ／Ｄ部３０６へ出力する。
【００５４】
Ａ／Ｄ部３０５は、ＲＦ回路３０３から入力したＬｏｗ−ＩＦ信号をＡ／Ｄ変換して直交検波部３０７へ出力する。
【００５５】
Ａ／Ｄ部３０６は、ＲＦ回路３０４から入力したＬｏｗ−ＩＦ信号をＡ／Ｄ変換して直交検波部３０８へ出力する。
【００５６】
直交検波部３０７は、Ａ／Ｄ部３０５から入力したディジタルＬｏｗ−ＩＦ信号をＮＣＯ１１６から入力したローカル信号で直交検波して、ディジタルベースバンド信号のＩ成分及びＱ成分をＬＰＦ３０９へ出力する。
【００５７】
直交検波部３０８は、Ａ／Ｄ部３０６から入力したディジタルＬｏｗ−ＩＦ信号をＮＣＯ１１６から入力したローカル信号で直交検波して、ディジタルベースバンド信号のＩ成分及びＱ成分をＬＰＦ３１０へ出力する。
【００５８】
ＬＰＦ３０９は、直交検波部３０７から入力したディジタルベースバンド信号のＩ成分及びＱ成分より、直交検波により発生する和周波数成分を除去してＯＦＤＭ復調回路３１１及び周波数誤差検出部１１４へ出力する。
【００５９】
ＬＰＦ３１０は、直交検波部３０８から入力したディジタルベースバンド信号のＩ成分及びＱ成分より、直交検波により発生する和周波数成分を除去してＯＦＤＭ復調回路３１２及び周波数誤差検出部１１４へ出力する。
【００６０】
ＯＦＤＭ復調回路３１１は、ＬＰＦ３０９から入力したＩ成分及びＱ成分からなるディジタルベースバンド信号をＯＦＤＭ復調して復調信号を生成し、生成した復調信号を合成回路３１３及び受信品質判定部３１４へ出力する。
【００６１】
ＯＦＤＭ復調回路３１２は、ＬＰＦ３１０から入力したＩ成分及びＱ成分からなるディジタルベースバンド信号をＯＦＤＭ復調して復調信号を生成し、生成した復調信号を合成回路３１３及び受信品質判定部３１４へ出力する。
【００６２】
合成回路３１３は、ＯＦＤＭ復調回路３１１及びＯＦＤＭ復調回路３１２から入力した２系統の復調信号の合成を行う。この際に、合成回路３１３は、合成後のＳ／Ｎが最大になるように重み付けして互いの復調信号を加算する最大比合成を用いる。そして、合成回路３１３は、最大比合成後の信号を復号回路１０９へ出力する。
【００６３】
復号回路１０９は、合成回路３１３から入力した最大比合成後の信号をデインタリーブ及び誤り訂正等の復号処理し、復号処理後のディジタル放送信号を外部へ出力する。これにより、無線通信端末装置３００は、図示しない表示画面にディジタル放送による画像を表示することが可能になる。
【００６４】
受信品質判定部３１４は、ＯＦＤＭ復調回路３１１から入力する復調信号及びＯＦＤＭ復調回路３１２から入力する復調信号を用いてＢＥＲまたはＳ／Ｎを検出し、ＢＥＲまたはＳ／Ｎの検出値と所定の閾値との比較結果に基づいて、ダイバーシチ受信すべきか否かを判定する。具体的には、受信品質判定部３１４は、ＢＥＲの検出値が閾値未満の場合またはＳ／Ｎの検出値が閾値以上の場合にダイバーシチ受信すべきでないと判定し、ＢＥＲの検出値が閾値以上の場合またはＳ／Ｎの検出値が閾値未満の場合にダイバーシチ受信すべきであると判定する。そして、受信品質判定部３１４は、判定結果を制御回路３１６へ出力する。
【００６５】
端末制御部３１５は、無線通信端末装置３００全体の制御を行う。また、端末制御部３１５は、所定のタイミングで各種の処理の実行命令を発行する。例えば、端末制御部３１５は、チャネル選局、ディジタルテレビチューナ部３５０の各ブロックの初期化、ディジタルテレビチューナ部３５０の各ブロックの停止処理、及びダイバーシチ受信とシングルブランチ受信の切り換えの各種の処理の実行命令を発行する。
【００６６】
制御回路３１６は、ディジタルテレビチューナ部３５０の各ブロックの制御を行う。例えば、制御回路３１６は、端末制御部３１５からのチャネル選局、ディジタルテレビチューナ部３５０の各ブロックの初期化またはディジタルテレビチューナ部３５０の各ブロックの停止処理の実行命令を受けて、ＲＦ回路３０３、３０４のＬｏ周波数の設定、各ブロックの初期化または各ブロックの停止処理を行う。また、制御回路３１６は、端末制御部３１５のダイバーシチ受信またはシングルブランチ受信の切り換え処理の実行命令を受けた際に、ダイバーシチ受信とシングルブランチ受信の切り換えの制御を行う。即ち、制御回路３１６は、受信品質判定部３１４から入力した判定結果がダイバーシチ受信する場合には、ＲＦ回路３０３及びＲＦ回路３０４に対して電源の供給を受けるように制御し、受信品質判定部３１４から入力した判定結果がシングルブランチ受信する場合には、ＲＦ回路３０３とＲＦ回路３０４の内の受信品質が劣化している何れか一方に対して、電源の供給を受けないように制御する。
【００６７】
特定処理実行通知部３１７は、急激な基準周波数変動を引き起こす特定の内部処理の実行命令を発行するタイミングとして、ダイバーシチ受信とシングルブランチ受信の切り換え処理の実行命令を発行するタイミングを制御回路３１６から抽出する。そして、特定処理実行通知部３１７は、ＴＶチューナＡＦＣループ定数制御部１１３に対して、抽出したダイバーシチ受信とシングルブランチ受信の切り換え処理の実行命令を発行するタイミングを通知する。
【００６８】
ＴＶチューナＡＦＣループ定数制御部１１３は、特定処理実行通知部３１７から通知を受けた場合は、通知を受けない場合に比べて小さい時定数を選択するように可変ループフィルタ１１５に指示する。具体的には、ＴＶチューナＡＦＣループ定数制御部１１３は、特定処理実行通知部３１７から通知を受けた場合は、通知を受けない場合よりも、可変ループフィルタ１１５のゲインまたは平滑化パラメータ(フィルタの帯域、移動平均数または忘却係数等)の少なくとも一方を、自動周波数制御における追従性の高い設定に切り換えるように指示する。例えば、ＴＶチューナＡＦＣループ定数制御部１１３は、ダイバーシチ受信とシングルブランチ受信の切り換えの際に、可変ループフィルタ１１５のゲインを大きくするかまたは可変ループフィルタ１１５の帯域を広くし、所定の時間経過後に元の設定に戻すように指示する。なお、設定の切り換えは、必ずしも２段階である必要はなく、３段階以上でも良い。
【００６９】
周波数誤差検出部１１４は、ＬＰＦ３０９またはＬＰＦ３１０の少なくとも一方から入力したベースバンド信号のＩ成分及びＱ成分から周波数誤差を検出する。そして、周波数誤差検出部１１４は、検出結果である周波数誤差信号を可変ループフィルタ１１５へ出力する。
【００７０】
ＮＣＯ１１６は、可変ループフィルタ１１５から入力した周波数誤差信号から、所定の発信周波数のディジタル正弦波及びディジタル余弦波からなるローカル信号を生成する。そして、ＮＣＯ１１６は、生成したローカル信号を直交検波部３０７及び直交検波部３０８へ出力する。
【００７１】
なお、可変ループフィルタ１１５の構成は図２と同一であるので、その説明は省略する。
【００７２】
また、無線通信端末装置３００内のＴＶチューナ基準周波数発生部１０１を実装する位置は、温度変動の少ない位置に実装することにより急激な周波数変動に対する性能劣化を大幅に低減することができる。
【００７３】
因みに、２系統の受信回路を持つディジタルテレビチューナ部３５０では、省電力化のために１系統の動作を止める処理を行うと、アナログ回路の電力変化に伴う温度変動や、電源の共通インピーダンスによる電圧変動が発生し、これらにより基準周波数が変動してＢＥＲ特性が劣化する。この場合の電力変化及び発熱量変化は比較的小さいが、熱源が基準信号発振回路であるＴＶチューナ基準周波数発生部１０１の近傍に存在するので、ＴＶチューナ基準周波数発生部１０１における温度変動が急峻なものになり、周波数に対する影響が大きくなる。
【００７４】
また、無線通信端末装置３００では、ＲＦ回路３０３またはＲＦ回路３０４の電源のＯＮまたはＯＦＦにより発熱量が変化することによりＴＶチューナ基準周波数発生部１０１の温度が変化し、これにより発振周波数が変化する。また、無線通信端末装置３００では、ＲＦ回路３０３またはＲＦ回路３０４の電源のＯＮまたはＯＦＦにより電源の共通インピーダンスに起因して発振器の電圧が変化し、これにより発振周波数が変化する。発振周波数の変化は、ＯＦＤＭ復調回路３１１及びＯＦＤＭ復調回路３１２から見るとキャリア周波数（ＩＦ）の変化に相当し、この変化が急激な場合には変化に自動周波数制御が追従できず、周波数誤差が大きくなってＢＥＲが劣化する。
【００７５】
また、温度変化に起因する周波数変動は、ＲＦ回路３０３またはＲＦ回路３０４のＯＮまたはＯＦＦを行った後、若干遅れて急激な周波数変化が始まり、その後に熱平衡に達するまで緩やかな変化を続ける。一方、電源に起因する周波数変動は、ＲＦ回路３０３またはＲＦ回路３０４のＯＮまたはＯＦＦの直後に急激な周波数変化が起こる。
【００７６】
そこで、本実施の形態２では、ＲＦ回路３０３またはＲＦ回路３０４のＯＮまたはＯＦＦのタイミングに合わせて、例えば可変ループフィルタ１１５のゲインを大きくするかまたは帯域を広くして、自動周波数制御の追従性が高い設定となるように制御する。そして、無線通信端末装置３００は、所定の時間経過後に、例えば可変ループフィルタ１１５のゲインを小さくするかまたは帯域を狭くして、雑音耐性の高い設定に戻す。
【００７７】
このように、本実施の形態２によれば、ブランチの起動処理または停止処理のタイミングで追従性の高い自動周波数制御を行うことにより、急激な周波数変動による受信性能の劣化の低減と通常状態における高い受信性能の維持との両立を図ることができる。
【００７８】
（実施の形態３）
図４は、本発明の実施の形態３に係る無線通信端末装置４００の構成を示すブロック図である。
【００７９】
図４に示す無線通信端末装置４００は、図１に示す実施の形態１に係る無線通信端末装置１００に対して、ＴＶチューナ基準周波数発生部１０１を除き、端末制御部１１０の代わりに端末制御部４０２を有するとともに、特定処理実行通知部１１２の代わりに特定処理実行通知部４０３を有し、伝送系基準周波数発生部４０１を追加する。なお、図４において、図１と同一構成である部分には同一の符号を付してその説明を省略する。
【００８０】
無線通信端末装置４００は、ディジタルテレビチューナ部４５０を有し、ディジタルテレビチューナ部４５０は、内部クロック生成回路１０２、ＲＦ回路１０４、Ａ／Ｄ部１０５、直交検波部１０６、ＬＰＦ１０７、ＯＦＤＭ復調回路１０８、復号回路１０９、制御回路１１１、周波数誤差検出部１１４、可変ループフィルタ１１５及びＮＣＯ１１６を含む。
【００８１】
伝送系基準周波数発生部４０１は、セルラ通信方式のデータ伝送の際の基準周波数（ＣＬＫ）をディジタルテレビチューナ部４５０の基準周波数として用いるものであり、生成したセルラ通信方式のデータ伝送の際の基準周波数信号を内部クロック生成回路１０２へ出力する。
【００８２】
内部クロック生成回路１０２は、伝送系基準周波数発生部４０１から入力した基準周波数信号を用いてディジタルテレビチューナ部４５０の内部で使用する各種クロックを生成する。そして、内部クロック生成回路１０２は、生成した各種クロックをＲＦ回路１０４及びその他の回路に供給する。
【００８３】
端末制御部４０２は、無線通信端末装置４００全体の制御を行う。また、端末制御部４０２は、所定のタイミングで各種の処理の実行命令を発行する。例えば、端末制御部４０２は、チャネル選局、ディジタルテレビチューナ部４５０の各ブロックの初期化、ディジタルテレビチューナ部４５０の各ブロックの停止処理、ハンドオーバー開始、及びハンドオーバー停止の各種の処理の実行命令を発行する。ここで、ハンドオーバー処理とは、無線通信端末装置４００が基地局からハンドオーバーするように指示を受けた際の処理であり、基地局からハンドオーバーする指示を受ける前の周辺セルのセルサーチは含まない処理を意味する。
【００８４】
制御回路１１１は、ディジタルテレビチューナ部４５０の各ブロックの制御を行う。例えば、制御回路１１１は、端末制御部４０２からのチャネル選局、ディジタルテレビチューナ部４５０の各ブロックの初期化またはディジタルテレビチューナ部４５０の各ブロックの停止処理の実行命令を受けて、ＲＦ回路１０４のＬｏ周波数の設定、各ブロックの初期化または各ブロックの停止処理を行う。
【００８５】
特定処理実行通知部４０３は、急激な基準周波数変動を引き起こす特定の内部処理の実行命令を発行するタイミングとして、ハンドオーバーの開始処理または終了処理の実行命令を発行するタイミングを端末制御部４０２から抽出する。そして、特定処理実行通知部４０３は、ＴＶチューナＡＦＣループ定数制御部１１３に対して、抽出したハンドオーバーの開始処理または終了処理の実行命令を発行するタイミングを通知する。
【００８６】
ＴＶチューナＡＦＣループ定数制御部１１３は、特定処理実行通知部４０３から通知を受けた場合は、通知を受けない場合に比べて小さい時定数を選択するように可変ループフィルタ１１５に指示する。具体的には、ＴＶチューナＡＦＣループ定数制御部１１３は、特定処理実行通知部４０３から通知を受けた場合は、通知を受けない場合よりも、可変ループフィルタ１１５のゲインまたは平滑化パラメータ(フィルタの帯域、移動平均数または忘却係数等)の少なくとも一方を、自動周波数制御における追従性の高い設定に切り換えるように指示する。例えば、ＴＶチューナＡＦＣループ定数制御部１１３は、ハンドオーバーの開始処理または終了処理の際に、可変ループフィルタ１１５のゲインを大きくするかまたは可変ループフィルタ１１５の帯域を広くし、所定の時間経過後に元の設定に戻すように指示する。なお、設定の切り換えは、必ずしも２段階である必要はなく、３段階以上でも良い。
【００８７】
なお、可変ループフィルタ１１５の構成は図２と同一構成であるので、その説明は省略する。
【００８８】
また、無線通信端末装置４００内の伝送系基準周波数発生部４０１を実装する位置は、温度変動の少ない位置に実装することにより急激な周波数変動に対する性能劣化を大幅に低減することができる。
【００８９】
因みに、小型化及び低コスト化を図るために、基準発振回路を他の機能ブロックと共通化することは有効である。その場合、基準発振器近傍の熱源による基準発振器の周波数に対する影響に加えて、以下のような課題がある。
【００９０】
携帯電話が、ディジタルテレビチューナの基準発振器の周波数としてセルラ伝送に用いる基準クロックを用いる場合、ハンドオーバー時の基地局との同期処理により基準周波数が瞬時に変化する。この周波数変動によりＢＥＲの劣化が発生する。
【００９１】
伝送系基準周波数発生部４０１は、一般的に高精度且つ高安定のＴＣＸＯ（Temperature Compensated Xtal Oscillator）が用いられるが、ハンドーバーのときの基地局との同期処理により周波数が変化する（基地局間で最大０．０４ｐｐｍ程度）。無線通信端末装置４００によっては、数段階に分けて周波数を変化させる処理を行うものもあるが、この場合には瞬時変化となるため周波数変化の傾きが大きく、周波数の変化に伴うＢＥＲへの影響が大きくなる。
【００９２】
そこで、本実施の形態３では、ハンドオーバー処理開始時には、自動周波数制御における追従性が高くなる設定に切り換え、ハンドオーバー処理終了時には、自動周波数制御の設定を元に戻す。これにより、ハンドオーバー処理中は、追従性が高い設定を継続することができる。なお、ハンドオーバー処理終了時に自動周波数制御の設定を元に戻す場合に限らず、ハンドオーバー処理開始時から一定時間後に戻しても良い。
【００９３】
このように、本実施の形態３によれば、ハンドオーバーの開始処理または終了処理の際に、追従性の高い自動周波数制御を行うことにより、急激な周波数変動による受信性能の劣化の低減と通常状態における高い受信性能の維持との両立を図ることができる。
【００９４】
（実施の形態４）
図５は、本発明の実施の形態４に係る無線通信端末装置５００の構成を示すブロック図である。
【００９５】
図５に示す無線通信端末装置５００は、図１に示す実施の形態１に係る無線通信端末装置１００に対して、ＴＶチューナ基準周波数発生部１０１を除き、ＧＰＳ受信部５０１、ＧＰＳ基準周波数発生部５０２及びバッファ５０３を追加し、端末制御部１１０の代わりに端末制御部５０４を有し、特定処理実行通知部１１２の代わりに特定処理実行通知部５０５を有する。なお、図５においては、図１と同一構成である部分には同一の符号を付してその説明は省略する。
【００９６】
無線通信端末装置５００は、ディジタルテレビチューナ部５５０を有し、ディジタルテレビチューナ部５５０は、内部クロック生成回路１０２、ＲＦ回路１０４、Ａ／Ｄ部１０５、直交検波部１０６、ＬＰＦ１０７、ＯＦＤＭ復調回路１０８、復号回路１０９、制御回路１１１、周波数誤差検出部１１４、可変ループフィルタ１１５及びＮＣＯ１１６を含む。
【００９７】
ＧＰＳ受信部５０１は、ＧＰＳ基準周波数発生部５０２から入力した基準周波数信号に同期して、図示しないＧＰＳアンテナで受信したＧＰＳ信号からＧＰＳ情報を再生して無線通信端末装置５００の位置情報を生成する。
【００９８】
ＧＰＳ基準周波数発生部５０２は、ＧＰＳ信号を受信するための基準周波数信号を生成して、生成した基準周波数信号をＧＰＳ受信部５０１及びバッファ５０３へ出力する。
【００９９】
バッファ５０３は、内部クロック生成回路１０２及びＧＰＳ受信部５０１の２つの回路のドライブのために設けられるものであり、ドライブ能力不足を補強するものである
【０１００】
内部クロック生成回路１０２は、バッファ５０３を介してＧＰＳ基準周波数発生部５０２から入力した基準周波数信号を用いてディジタルテレビチューナ部５５０の内部で使用する各種クロックを生成する。そして、内部クロック生成回路１０２は、生成した各種クロックをＲＦ回路１０４及びその他の回路に供給する。
【０１０１】
端末制御部５０４は、無線通信端末装置５００全体の制御を行う。また、端末制御部５０４は、所定のタイミングで各種の処理の実行命令を発行する。例えば、端末制御部５０４は、チャネル選局、ディジタルテレビチューナ部５５０の各ブロックの初期化、ディジタルテレビチューナ部５５０の各ブロックの停止処理、及びＧＰＳ受信部５０１の起動または停止の各種の処理の実行命令を発行する。
【０１０２】
制御回路１１１は、ディジタルテレビチューナ部５５０の各ブロックの制御を行う。例えば、制御回路１１１は、端末制御部５０４からのチャネル選局、ディジタルテレビチューナ部５５０の各ブロックの初期化またはディジタルテレビチューナ部５５０の各ブロックの停止処理の実行命令を受けて、ＲＦ回路１０４のＬｏ周波数の設定、各ブロックの初期化または各ブロックの停止処理を行う。
【０１０３】
特定処理実行通知部５０５は、急激な基準周波数変動を引き起こす特定の内部処理の実行命令を発行するタイミングとして、ＧＰＳ受信部５０１の起動処理または停止処理の実行命令を発行するタイミングを端末制御部５０４から抽出する。そして、特定処理実行通知部５０５は、ＴＶチューナＡＦＣループ定数制御部１１３に対して、抽出したＧＰＳ受信部５０１の起動処理または停止処理の実行命令を発行するタイミングを通知する。
【０１０４】
ＴＶチューナＡＦＣループ定数制御部１１３は、特定処理実行通知部５０５から通知を受けた場合は、通知を受けない場合に比べて小さい時定数を選択するように可変ループフィルタ１１５に指示する。具体的には、ＴＶチューナＡＦＣループ定数制御部１１３は、特定処理実行通知部５０５から通知を受けた場合は、通知を受けない場合よりも、可変ループフィルタ１１５のゲインまたは平滑化パラメータ(フィルタの帯域、移動平均数または忘却係数等)の少なくとも一方を、自動周波数制御における追従性の高い設定に切り換えるように指示する。例えば、ＴＶチューナＡＦＣループ定数制御部１１３は、ＧＰＳ受信部５０１の起動処理または停止処理の際に、可変ループフィルタ１１５のゲインを大きくするかまたは可変ループフィルタ１１５の帯域を広くし、所定の時間経過後に元の設定に戻すように指示する。なお、設定の切り換えは、必ずしも２段階である必要はなく、３段階以上でも良い。
【０１０５】
無線通信端末装置５００内のＧＰＳ基準周波数発生部５０２を実装する位置は、温度変動の少ない位置に実装することにより急激な周波数変動に対する性能劣化を大幅に低減することができる。
【０１０６】
因みに、小型化及び低コスト化を図るために、基準発振回路を他の機能ブロックと共通化することも有効である。その場合、基準発振器近傍の熱源による基準発振器の周波数に対する影響に加えて、以下のような課題がある。
【０１０７】
ＧＰＳ受信回路等の基準周波数が変化しないものであっても、回路ブロックの起動及び停止により、発振回路に対する負荷の変動や電源電圧の変動が起こり、これらにより発振周波数が変化しＢＥＲの劣化が生じる。
【０１０８】
ＧＰＳ信号を受信しない場合、ＧＰＳ受信部５０１の電源をＯＦＦにするので、ＧＰＳ基準周波数発生部５０２の負荷インピーダンスの変化や電源電圧の変動が起こり、これらにより基準周波数が変化する。
【０１０９】
そこで、本実施の形態４では、ＧＰＳ受信部５０１の起動処理または停止処理のタイミングに合わせて、可変ループフィルタ１１５のゲインを大きくするかまたは可変ループフィルタ１１５の帯域を広くすることにより、自動周波数制御の追従性が高い設定になるように制御する。そして、無線通信端末装置５００は、所定の時間経過後に可変ループフィルタ１１５のゲインを小さくするかまたは可変ループフィルタ１１５の帯域を小さくすることにより、雑音耐性の高い設定に戻す。
【０１１０】
このように、本実施の形態４によれば、必要に応じて起動するＧＰＳ受信部に供給する基準周波数をディジタルテレビチューナの基準周波数として用いる場合において、ＧＰＳ受信部の起動処理または停止処理に伴うＧＰＳ基準周波数発生部の負荷インピーダンスの変化や電源電圧の変動により基準周波数が変化する際に、追従性の高い自動周波数制御を行うことにより、急激な周波数変動による受信性能の劣化の低減と通常状態における高い受信性能の維持との両立を図ることができる。
【０１１１】
なお、本実施の形態４において、ＧＰＳ受信部５０１の起動処理または停止処理の際に、追従性の高い自動周波数制御の可変ループフィルタ１１５のゲインまたは平滑化パラメータを設定したが、これに限らず、ＧＰＳ受信部５０１以外の基準周波数を共用する機能の動作開始処理または動作停止処理の際に、追従性の高い自動周波数制御の可変ループフィルタ１１５のゲインまたは平滑化パラメータを設定しても良い。
【０１１２】
（実施の形態５）
図６は、本発明の実施の形態５に係る無線通信端末装置６００の構成を示すブロック図である。
【０１１３】
図６に示す無線通信端末装置６００は、図１に示す実施の形態１に係る無線通信端末装置１００に対して、温度検出部６０１及び温度変化量検出部６０２を追加する。なお、図６において、図１と同一構成である部分には同一の符号を付してその説明を省略する。
【０１１４】
無線通信端末装置６００は、ディジタルテレビチューナ部６５０を有し、ディジタルテレビチューナ部６５０は、内部クロック生成回路１０２、ＲＦ回路１０４、Ａ／Ｄ部１０５、直交検波部１０６、ＬＰＦ１０７、ＯＦＤＭ復調回路１０８、復号回路１０９、制御回路１１１、周波数誤差検出部１１４、可変ループフィルタ１１５及びＮＣＯ１１６を含む。
【０１１５】
温度検出部６０１は、例えばサーミスタであり、ＴＶチューナ基準周波数発生部１０１の近傍の温度を検出し、検出結果を温度変化量検出部６０２へ出力する。
【０１１６】
温度変化量検出部６０２は、温度検出部６０１から入力する温度の検出結果に基づいて、単位時間における温度の変化量、即ち温度変化の傾きを検出する。そして、温度変化量検出部６０２は、検出結果をＴＶチューナＡＦＣループ定数制御部１１３へ出力する。
【０１１７】
ＴＶチューナＡＦＣループ定数制御部１１３は、特定処理実行通知部１１２から通知を受けた場合は、通知を受けない場合に比べて小さい時定数を選択するように可変ループフィルタ１１５に指示する。具体的には、ＴＶチューナＡＦＣループ定数制御部１１３は、特定処理実行通知部１１２から通知を受けた場合は、通知を受けない場合よりも、可変ループフィルタ１１５のゲインまたは平滑化パラメータ(フィルタの帯域、移動平均数または忘却係数等)の少なくとも一方を、自動周波数制御における追従性の高い設定に切り換えるように指示する。例えば、ＴＶチューナＡＦＣループ定数制御部１１３は、伝送系送信アンプの起動、伝送系送信アンプの停止、充電回路の動作開始または充電回路の動作停止の際に、可変ループフィルタ１１５のゲインを大きくするかまたは可変ループフィルタ１１５の帯域を広くし、所定の時間経過後に元の設定に戻すように指示する。なお、設定の切り換えは、必ずしも２段階である必要はなく、３段階以上でも良い。
【０１１８】
また、ＴＶチューナＡＦＣループ定数制御部１１３は、温度変化量検出部６０２から入力した検出結果における温度変化の傾きが所定の閾値を越えた場合に、自動周波数制御の設定を切り換える。例えば、ＴＶチューナＡＦＣループ定数制御部１１３は、可変ループフィルタ１１５のゲインまたは平滑化パラメータ(フィルタの帯域、移動平均数または忘却係数等)の少なくとも一方の設定を切り換える。
【０１１９】
次に、無線通信端末装置６００の動作について、図７を用いて説明する。図７は、温度及び温度変化の傾きと時間との関係を示す図である。
【０１２０】
温度検出部６０１は、温度＃７００を検出し、温度変化量検出部６０２は、検出した温度＃７００または検出した温度＃７００に対応する検出電圧等から温度変化の傾き＃７０１を計算する。そして、温度変化量検出部６０２は、計算した温度変化の傾き＃７０１が所定の切り換え閾値＃７０２を越えた場合、ＴＶチューナＡＦＣループ定数制御部１１３に通知する。温度変化量検出部６０２は、負の温度変化も検出する必要があるため、計算した温度変化の傾き＃７０１の絶対値を求めて、求めた温度変化の傾き＃７０１の絶対値と閾値とを比較する。図７は、正の温度変化の場合を示したものである。
【０１２１】
ＴＶチューナＡＦＣループ定数制御部１１３は、温度変化量検出部６０２からの通知により、自動周波数制御の設定を通常設定＃７０４から高追従性設定＃７０５に切り換え、通知が無くなった際に通常設定＃７０４に戻す。図７に示すように、通知が無くなった時刻ｔ１から所定の時間Ｔ１０経過後に通常設定＃７０４に戻す。
【０１２２】
ＴＶチューナＡＦＣループ定数制御部１１３は、特定処理実行通知部１１２からの通知があった場合は、上記実施の形態１〜４と同様の設定を行う。また、ＴＶチューナＡＦＣループ定数制御部１１３は、特定処理実行通知部１１２からの通知と温度変化量検出部６０２からの通知の複数の通知を受けた場合には、高追従性設定を優先する。例えば、ＴＶチューナＡＦＣループ定数制御部１１３は、特定処理実行通知部１１２からの伝送系パワーアンプの停止処理の通知により自動周波数制御における追従性の高い設定にした直後に、温度変化量検出部６０２から通知を受けた際に、伝送系パワーアンプの停止後の所定時間が経過しても、温度変化量検出部６０２から通知を受けている状態であれば、追従性の高い設定を継続する。
【０１２３】
無線通信端末装置６００内のＴＶチューナ基準周波数発生部１０１を実装する位置は、温度変動の少ない位置に実装することにより急激な周波数変動に対する性能劣化を大幅に低減することができる。
【０１２４】
このように、本実施の形態５によれば、温度変化量が閾値を超えた場合に、追従性の高い自動周波数制御を行うことにより、急激な周波数変動による受信性能の劣化の低減と通常状態における高い受信性能の維持との両立を図ることができる。
【０１２５】
なお、上記実施の形態１〜実施の形態５において、ディジタル直交検波の際に用いるローカル信号をＮＣＯにより生成するディジタル自動周波数制御回路、及びこのディジタル自動周波数制御回路を用いたＬｏ−ＩＦ受信機に対して各実施の形態を適用する場合について説明したが、これに限らず、アナログＶＣＯ（voltage controlled oscillators）を用いたダイレクトコンバージョン受信機に対して各実施の形態を適用することができる。この場合、ＲＦ回路は、アナログローカル信号で受信信号を直交検波することにより、アナログのベースバンド信号（Ｉ信号及びＱ信号）を出力する。
【産業上の利用可能性】
【０１２６】
本発明にかかる無線通信端末装置及び自動周波数制御方法は、例えばディジタルテレビ放送を受信するのに好適である。
【図面の簡単な説明】
【０１２７】
【図１】本発明の実施の形態１に係る無線通信端末装置の構成を示すブロック図
【図２】本発明の実施の形態１に係る可変ループフィルタの構成を示すブロック図
【図３】本発明の実施の形態２に係る無線通信端末装置の構成を示すブロック図
【図４】本発明の実施の形態３に係る無線通信端末装置の構成を示すブロック図
【図５】本発明の実施の形態４に係る無線通信端末装置の構成を示すブロック図
【図６】本発明の実施の形態５に係る無線通信端末装置の構成を示すブロック図
【図７】本発明の実施の形態５に係る温度、温度変化の傾きと時間との関係を示す図
【符号の説明】
【０１２８】
１００、３００、４００、５００、６００  無線通信端末装置
１０１  ＴＶチューナ基準周波数発生部
１０２  内部クロック生成回路
１０３、３０１、３０２  アンテナ
１０４、３０３、３０４  ＲＦ回路
１０５、３０５、３０６  Ａ／Ｄ部
１０６、３０７、３０８  直交検波部
１０７、３０９、３１０  ＬＰＦ
１０８、３１１、３１２  ＯＦＤＭ復調回路
１０９  復号回路
１１０、３１５  端末制御部
１１１、３１６  制御回路
１１２、３１７  特定処理実行通知部
１１３  ＴＶチューナＡＦＣループ定数制御部
１１４  周波数誤差検出部
１１５  可変ループフィルタ
１１６  ＮＣＯ
１５０、３５０  ディジタルテレビチューナ部
【図１】
0004920504.tif 000002
【図２】
0004920504.tif 000003
【図３】
0004920504.tif 000004
【図４】
0004920504.tif 000005
【図５】
0004920504.tif 000006
【図６】
0004920504.tif 000007
【図７】
0004920504.tif 000008